Podtech/llm-jp-corpus-v4-ja_patent huggingface dataset:
(57)【要約】【課題】電池とモーターによりローラーを回転させ、このローラーは表面には静電植毛したり、静電植毛した布を巻きつけたりしてローラーが回転して筆記跡を拭き取る水性マーカーを使用して筆記板に書かれた筆記跡の筆記消しにおいて、イレーサーを手に持って筆記板に押し当てるだけで、モーターがローラーを回転させ筆記を拭式し消す事を可能とし、又、スイッチが不用意に入ったり、消し忘れを防止する事が可能とする。【解決手段】電動イレーサーを把持する押さえ蓋とモーター、電池、ローラーを内蔵した本体ケースとの間にスプリングを介装し、ローラーを筆記板に押し当てる動作により、スプリングが縮長され同時にモーターを駆動するためのスイッチが入る。本体ケースには押え蓋の反対側に露出したローラーをカバーすると共に、押え蓋の端面に当接して着脱自在にカバーが設けられている。【選択図】図１
2005280317.tif 000002
【特許請求の範囲】
【請求項１】
本体ケースの下方側へ円柱状のローラを若干部分を露出させて回転可能に配置させると共に、該本体ケースの上方側へは、本体ケースに対して相対的に可動とさせた押え蓋をスプリングを介在させて取り付け、前記ローラを回転駆動させる駆動源の押釦型のスイッチを、本体ケースと押え蓋の間に配置させたことを特徴とする電動イレーサー。
【請求項２】
前記スプリングが一箇所に配置されると共に、該スプリングの近傍にスイッチが配置されていることを特徴とする電動イレーサー。
【請求項３】
前記スプリングが左右方向の二箇所に配置されると共に、該スプリングの間にスイッチが配置されていることを特徴とする電動イレーサー。
【発明の詳細な説明】
【技術分野】
【０００１】本発明は、水性マーカーを使用して白板等の筆記板に筆記後、筆記消しに用いられる電動イレーサーに関するものである。
【背景技術】
【０００２】近年、水性マーカーを使用して筆記板に書かれた筆記跡の筆記消しとして、電池とモーター１０によりローラー４を回転させ、このローラー４は表面には静電植毛したり、静電植毛した布を巻きつけたりしてローラー４が回転して筆記跡を拭き取る電動イレーサーが知られている。これらはスイッチが本体の一部に配置され、スイッチボタンを押す事によって、ローラー４を回転させるが、イレーサーを筆記板に押し当てて、消す動作の間中、スイッチを押した状態に保つのが難しい欠点があった。又、スイッチが不用意に入ってしまったり、スイッチを消し忘れたりする事があった。
【発明が解決しようとする課題】
【０００３】本発明は筆記消しの動作が、イレーサーを手に持って筆記板に押し当てるだけで、モーター１０がローラー４を回転させ筆記を拭式し消す事ができる。又、スイッチが不用意に入ったり、消し忘れを防止する事が可能にする。
【課題を解決するための手段】
【０００４】  本発明は、上記の従来の課題を解決するもので、電動イレーサーを把持する押さえ蓋とモーター１０、電池、ローラー４を内蔵した本体ケースとの間にスプリングを介装し、ローラー４を筆記板に押し当てる動作により、スプリングが縮長され同時にモーター１０を駆動するためのスイッチが入る。
【０００５】本体ケースには押え蓋の反対側に露出したローラー４をカバーすると共に、押え蓋の端面に当接して着脱自在にカバーが設けられているため、カバーが付いた状態で不用意に押え蓋を押してもスイッチが入る事はない。又、使用後に蓋を嵌める事により、押スイッチを消し忘れ事もない。
【０００６】  図１は本発明の第１実施例の断面図であり、図２は図１のＡ−Ａ断面を示す。
第１実施例は、押え蓋１と本体ケース２が２個所のピン１２をヒンジとして、互いに可動できるようになっている。押え蓋１と本体ケース２の間にはコイルスプリング８が介装され、スイッチ９と押え蓋は離間している。押え蓋１と本体ケース２の互いに相対する側壁には開閉範囲を規制するための係止ストッパー１４が設けられている。
【０００７】本体ケース下部には２本のローラー４がセットされ、上部に設置された電池７、モーター１０とモーター１０に接続したプーリー、ベルト、ギア等の伝動部５によって駆動回転出来るようになっている。
【０００８】  本体ケース下部のローラー４を覆って本体ケースに着脱可能に係合する契合突起１１によってカバー３が、設けられている。このカバー３は使用しない時にはローラー４を保護すると共に、押え蓋が端面同士で当接しているので、押え蓋を不用意に押えてしまってスイッチを入れてしまう等の誤動作がない。
【０００９】消し具として使用する際には、カバー３を外し、押え蓋を持って、筆記板にローラー４を押し当てると、ピン１２を中心として、押え蓋が本体ケース側に押され、同時にコイルスプリングが押し縮り、スイッチが押されてローラー４が回転して拭式が可能になる。
【００１０】  ２本のローラー４はギアの組み合わせにより、互いに内向きに回転する事により、ローラー４が拭式した筆記跡の塵埃を本体ケースの内部に溜め込む事が出来る。
【００１１】  スプリングの一端に圧力センサーを設置し、消し具の押し当て圧力に応じてモーター１０の回転数を変えることも可能である。例えば筆記跡が消え難い時、ローラー４を強く当てるとモーター１０の負荷が大きすぎて止まる事が考えられるので、押し当て圧力が大きくなるとモーター１０の回転数を下げトルクを大きくする事により
モーター１０が止まらず、筆記跡も容易で綺麗に拭式する事が出来る。
【００１２】  又、スイッチの押し当てストロークを検出して前記のような制御も可能である。これらはＩＣ回路を使用する事で僅かなスペースに収める事ができる。
【００１３】１３は電池交換時のための小窓で、カバーをした状態で交換すればスイッチが入ってしまう誤動作を防止できる。
【００１４】図３、図４は本発明の第２実施例でスイッチを中央部に設置し、スプリングを両側に配置することにより、押え蓋を手にもつ時に上下の方向性がなく使用者によっては使い易い形態になる。
【発明の効果】
【００１５】本発明は、上記の如く構成したことにより、押し当て動作とスイッチが連動するので使い易く、また、カバーの存在で誤動作がなく、電池交換が容易等の取り扱いに便利であると共に、押し当て強さによりモーターのトルクを変化させて拭式力を向上させる事が出来る等の機能性にも優れている。
【図面の簡単な説明】
【００１６】
【図１】本発明の第１実施例の断面図である。
【図２】図１の断面図である。
【図３】本発明の第２実施例の説明図である。
【図４】図３の断面図である。
【符号の説明】
【００１７】１  押え蓋
２  本体ケース
３  カバー
４  ローラー
５  伝動部
７  電池
８  コイルスプリング
９  スイッチ
１０  モーター
１１  契合突起
１２  ピン
１３  電池交換蓋
１４  係止ストッパー
【図１】
2005280317.tif 000003
【図２】
2005280317.tif 000004
【図３】
2005280317.tif 000005
【図４】
2005280317.tif 000006
(57)【要約】【課題】  従来、無地あるいは罫の印刷されていないカードに文字を書く場合、文字の列がそろわない場合があるという問題があった。【解決手段】  本発明は、カードに合ったシートを重ねることにより、シートのラインを罫のかわりにすることによって文字の揃えて書き易く、読み易くすることに役立つ。【選択図】図１
2005280318.tif 000002
【特許請求の範囲】
【請求項１】
罫の印刷されていないカードに，カードに合った大きさのラインの付いた補助シートを重ねることにより、簡単に等間隔に列を揃えて文字を書くことが出来る筆記用補助シート。
【発明の詳細な説明】
【技術分野】
【０００１】  本発明は罫の印刷されていないカードに重ねて文字を、列を揃えて書くシートに      関するものである。
【背景技術】
【０００２】  従来の罫の印刷されていないカードに文書を書く場合、書きにくい列がそろわない等の問題があった。
また、鉛筆で罫を下書きする面倒さや、下書きを消しゴムで消した場合、文字のインクで紙面がよごれる等の問題もあった。
【発明の開示】
【発明が解決しようとする課題】
【０００３】  以上に述べた従来のカードの使用方法では、自筆での記入に困難、抵抗を感じる場合  がある問題点があった。【０００４】  印刷  本発明は、今日、パソコン等の普及により、自筆での文字、漢字ばなれが進む中、罫の印刷されていないカードや葉書に文字を書き易くするためのものである。
【課題を解決するための手段】
【０００５】  本発明はカードの大きさに合ったシート枠に罫のかわりのラインを設け、カードに重ねて書くことにより、文字の列をそろえる問題点を解決している。
【発明の効果】
【０００６】  上述したように、本発明のカード用ライティングヘルパーは、カードに文字を抵抗少なく、書き易くする。また、読み易くするという効果を発揮するものである。
【発明の実施するための最良の形態】
【０００７】  本発明の実施の形態を図１に基づいて説明する。
【０００８】  以下、添付図面に従って実施例を説明する。
１は、カードの大きさに合った、ライティングヘルパー本体の枠の外側である。
２は、カードの絵、柄等に合った、枠の内側である。
１と２によって適宜素材のシートの枠ができ、３のラインはその枠に付着し、適度な幅の罫の代りに設けられているものである。このラインはまた、必要な数を切り取ることにより、宛名書き等の補助にも使用することが出来る。
【図面の簡単な説明】
【０００９】
【図１】  本発明のカード用ライティングヘルパーの実施例を示す正面図である。
【符号の説明】
【００１０】１．カード用ライティングヘルパー本体（枠の外側）
２．カード用ライティングヘルパーの（枠の内側）
３．ライン（罫）
【図１】
2005280318.tif 000003
(57)【要約】【課題】本を開いた状態に保つ為の本のページ押さえ器を提供する【解決手段】ページを差し込む為のわっか２を心棒１の両端に取り付けた本のページ押さえ器【選択図】    図１
2005280320.tif 000002
【特許請求の範囲】
【請求項１】
心棒１にページを固定するわっか２を両端に取り付けたページ押さえ器
【発明の詳細な説明】
【発明の詳細な説明】
この発明は、本の開いた状態を保つ為のページ押さえ器に関するものである゜
従来、本を見ながらメモを取ったり、料理をしたりする時に、本を開いた状態に保てる道具はなく、物を置いたりして不便であった。
本発明は、その不便をなくすためになされたもので、これを図面について説明すれば、心棒１にページを差し込んで押さえるわっか２を取りつけた物である。
本発明はこのような構造であるから、本を開いた時に両方のページをそれぞれ２に差し込んでおけば心棒１によって固定され開いた状態が保てる。本のページ押さえ器は、書類やノートにも使えるうえ小さいので携帯にも便利でどこででも使用可能である。又２は差し込み式でなくページを挟む形式のものでも良い。
【図面の簡単な説明】
【図１】    本発明の平面図である
【図２】    本発明の側面図である
【図３】    本発明の使用中の斜視図である
【符号の説明】
１は心棒    ２はわっか
【図１】
2005280320.tif 000003
【図２】
2005280320.tif 000004
【図３】
2005280320.tif 000005
(57)【要約】      （修正有）【課題】書こうとする円の寸法を粍定規で測らずに，目的の寸法の円を書くことが出来る円書定規を提供する。【解決手段】円書定規は中心部を押えると円を書こうとする物の表面に中心固定部により、中心部の固定がなされ、目的の寸法のペン穴にペン先を入れて、円書定規を一回転させることで円が書ける仕組である。そのままでペン穴を替えて一回転させれば二重、三重と同中心の円を書くことが出来る。又、ペン穴は丸形でもよいが四角形、三角形、菱形の様に角のある形状の物にすれば、回転方向に角がくる様にすることでペン先の太さが少々異なっても回転の動作で、ペン振れがなく正確な円を書くことが出来る円書定規である。【選択図】図１
2005280327.tif 000002
【特許請求の範囲】
【請求項１】
本発明の円書定規は粍単位の無数のペン穴を有し、ペン穴の近くにその直径寸法及び中心からの寸法の数字を表示したものである。
本体の中心部には中心を固定する中心固定部を有し、その中心固定部の収納部と押え部より成り、中心固定部の中心には中心印を有し、押え部を押えることで中心の固定と目的の位置とする中心に中心印を合わせることが出来る仕組の構造体の円書定規。
【発明の詳細な説明】
【技術分野】
【０００１】  本発明は粍単位の無数のペン穴を有し、その近くに寸法表示の数字を有した円を書くための定規に関するものである。
【背景技術】
【０００２】  一般に円を書くには、コンパスを使用しているが、書こうとする円の寸法を粍定規で測って、円を書くことで粍定規を使用する手間がかかっていた。
本発明の円を書くための定規は粍間隔の無数のペン穴を有するので、目的の寸法の円を容易に書くことが出来る仕組である。
【発明の開示】
円書定規
【発明が解決しようとする課題】
【０００３】  解決しようとする問題点は、書こうとする円の寸法を粍定規で測らずに、目的の寸法の円を書くことが出来る円書定規を提供することにある。
【課題を解決するための手段】
【０００４】  本発明の円書定規は中心部を押えると円を書こうとする物の表面に中心固定部により、中心部の固定がなされ、目的の寸法のペン穴にペン先を入れて、円書定規を一回転させることで円が書ける仕組である。
そのままでペン穴を替えて一回転させれば二重、三重の同心の円を書くことが出来る。
又、ペン穴は丸形でもよいが四角形、三角形、菱形の様に角のある形状の物にすれば、回転方向に角がくる様にすることでペン先の太さが少々異なっても回転の動作で、ペン振れがなく正確な円を書くことが出来る円書定規である。
【発明の効果】
【０００５】  本発明の円書定規は円の寸法を書くためにわざわざ定規で寸法を測る必要がなく粍単位の寸法のペン穴を利用するだけで正確に円を書くことが出来る利点がある。
【発明を実施するための最良の形態】
【０００６】  本発明の円書定規を使用することで、寸法を測るための別の粍定規を必要とせず、この円書定規のみで、寸法の異なった円を書くことが出来る構造体のものである。
【実施例】
【０００７】  本発明に係る円書定規の概略構造体を示す図１は正面図、図２は側面図、図３は側断面図、図４は中心部を押えた状態の側断面図である。【０００８】  これら図に示す様に円書定規１０の本体１に異なった寸法の円を書くための粍単位のペン穴２と、その中心からの寸法及び直径寸法の寸法表示の数字３を有したものである。
図１の寸法表示の数字は一例である。【０００９】  本体１は図１の如く長方形又は円形より成り、その本体１の中央部に押え部５と中心部固定用の中心固定部７と収納部６とから成り、使用する時には押え部５を押えることで、中心固定部７が本体１の裏面よりでる仕組にしたものである。【００１０】  押え部５の中央部の中心部用穴４を覗けば目的の中心位置に中心印８を合わせることが出来る仕組の構造体の円書定規である。
【図面の簡単な説明】
【００１１】
【図１】円書定規の一例を示す正面図である。
【図２】円書定規の一例を示す側面図である。
【図３】円書定規の一例を示す側断面図である。
【図４】円書定規の中心部を押えた状態の側断面図である。
【符号の説明】
【００１２】  １    本体
２    ペン穴
３    数字
４    中心部用穴
５    押え部
６    収納部
７    中心固定部
８    中心印
１０    円書定規
【図１】
2005280327.tif 000003
【図２】
2005280327.tif 000004
【図３】
2005280327.tif 000005
【図４】
2005280327.tif 000006
(57)【要約】【課題】  木や竹に付加価値を付ける。【解決手段】  切り倒した木竹に毛細管現象を応用して切り口全面の導管、仮導管に付加価値溶液を供給して木竹の価値を高める。【選択図】  図３
2005280322.tif 000002
【特許請求の範囲】
【請求項１】
木竹（８）の切り口（１）に吸収性、保水性材料（２）を貼り付けて、その吸収性、保水性材料（２）がはずれないように防水シート（５）をロープ（９）で固定する。固定した防水シート（５）の上部一部にホース（３）を取り付けて、そのホース（３）内に吸収材（４）を通す。そして、吸収材（４）を通したホース（３）の片方をタンク（７）に入った溶液（６）に浸漬すると、毛細管現象で溶液が吸上げられて切り口（１）に貼り付けた吸収性、保水性材料（２）に溶液（６）が供給されてなる木竹に付加価値を付ける方法とその木竹。
【請求項２】
木竹（８）の切り口（１）に貼り付けた吸収性、保水性材料（２）がはずれ無い様に防水シート（５）で押さえロープ（９）で固定する。そして防水シート（５）上部に穴をあけて、そこから溶液（６）を点滴方式で吸収性、保水性材料（２）に供給してなる請求項１記載の木竹に付加価値を付ける方法とその木竹。
【発明の詳細な説明】
【発明の詳細な説明】
【技術分野】
【０００１】  本発明は、切り倒した木や竹を素材が本来持っている吸水力を利用して付加価値を付ける方法とその木竹に関する。
【背景技術】
【０００２】  従来、木に付加価値を付ける方法は立ち木の幹に横穴をあけて溶液を流し込む方法である（例えば特願平１１−２３２４３１・特願平１１−５９０５）。
【発明が解決しようとする課題】
【０００３】  従来の技術で述べたものに於いては、立ち木の幹に横穴をあけるので導管、仮導管に接触する部分が限られてしまう。その上、溶液タンクは穴より高い位置に設置して直接溶液を注入するので溶液が漏れ出たり、タンク設置にも手間取る。また、道具の数も多くなり多本数の場合には不向きである。そして、木には横穴をあけて設置出来るが竹には大変難しいと言う問題点を有していた。
【０００４】  本発明は，従来の技術の有するこのような問題点に鑑みてなされたものであり、その目的とするところは、切り倒した木や竹に葉をそのまま残して水分を蒸散させる事で、水分を補給する為に木竹が本来持っている吸水力を利用して付加価値を付ける事が出来るものである。また、切り口の全面に形状を問わず間接的に溶液を供給出来る事を目的としており、簡単な作りの道具である為に対象物が多本数の場合でも難なく対応出来る。また、一連の作業に要する時間も短時間で終わる。そして、竹にも付加価値を付けることが出来るこの方法で高付加価値木材、竹材を提供することを目的としている。
【課題を解決するための手段】
【０００５】  上記目的を達成するために、本発明における木竹に付加価値を付ける方法とその木竹は、切り口に脱脂綿等吸収性、保水性が良い素材を隙間無く貼り付ける。
そして、それがはずれないように吸収材入りホースを取り付けた防水シートをかぶせて固定する。
【０００６】  上記のホース取付け位置は切り口の最も高い位置が効果的である。
【０００７】  また、木竹の切り口に接しない方のホース一端は溶液タンクに浸漬するものである。
【０００８】  そして、ホース内を通した吸収材は細いものを何本も束ねたものが効果的である。
【０００９】  上記のように構成された付加価値を付ける方法は、切り倒した木や竹に葉をそのまま残して水分を蒸散させる事で、水分を補給する為に木竹が本来持っている吸水力を利用して付加価値を付ける。その吸水力を利用する為に、水と混ぜた溶液をホース内の吸収材を通して切り口に貼り付けた吸収性、保水性材料に供給する。
【００１０】  そして、供給された溶液は、切り口に無数に点在する導管、仮導管から吸収される。
【発明を実施するための最良の形態】
【００１１】  発明の実施の形態について図面を参照して説明する。
図１〜図２においては、防水シート５にホース３を接着剤又は粘着テープで取付け、そのホース３内に細い吸収材４を束ねて通す。【００１２】  図３に示される実施例では、木竹８の切り口１に吸収性、保水性材料２を貼り付けて、それを吸収材４入りホース３を取り付けた防水シート５をロープ９で固定する。この時、切り口１に貼り付けた吸収性、保水性材料２にホース３内を通した吸収材４が切り口１の中で一番高い位置に接触するように設置する。そして、吸収材４入りホース３のもう片方を溶液６が入ったタンク７に浸漬する。
【発明の効果】
【００１３】  本発明は、以上説明したように構成されているので、以下に記載されているような効果を奏する。
【００１４】  切り倒した木竹の切り口全面に形状を問わず付加価値溶液を供給出来るもので、切り口に無数に有る導管、仮導管をすべて利用できるので効率よく価値を付けられる。
【００１５】  また、毛細管現象で供給された溶液は切り口部分の吸収性、保水性材料に一端保水されるので垂れ流す事無く溶液の無駄が少ない。
【００１６】  また、切り倒してあるので付加価値を付ける為の道具の取付け、溶液タンクの設置作業が簡単にできる。
【００１７】  そして、これらに使う道具の材料は一般小売店で調達出来る為に低価格で製造出来る。
【００１８】  以上の事から森林資源を有効に利用でき、特に間伐材や竹材に高付加価値を付ける事ができるものである。
【図面の簡単な説明】
【図１】防水シートとホースに吸収材を通した正面図である。
【図２】防水シートとホースに吸収材を通した側面図である。
【図３】溶液が木竹に供給される実施例を示す側面図である。
【符号の説明】
１  木竹の切り口
２  吸収性、保水性材料
３  ホース
４  吸収材
５  防水シート
６  溶液
７  タンク
８  木竹
９  ロープ
【図１】
2005280322.tif 000003
【図２】
2005280322.tif 000004
【図３】
2005280322.tif 000005
(57)【要約】【課題】  立体的な特殊加工花（プリザーブドフラワー）・特殊乾燥花を用いて華やかで豪華な写真額を提供する。【解決手段】写真窓を切り抜いた台紙上に立体花とリボンを貼付し、台紙の下には色紙、塩化ビニール板を貼付する。また、額縁の下隅には、乾燥剤、防虫剤を取り付ける。  ガラスは自由に外せるという長所から乾燥剤の交換も自分で自由に行えることも特徴である。【選択図】    図  １
2005280323.tif 000002
【特許請求の範囲】
【請求項１】
写真等の額縁内を立体的なプリザーブドフラワーやドライフラワーで華やかに装飾した写真用額縁。
【発明の詳細な説明】
【発明の詳細な説明】
【技術分野】
【０００１】  この発明は、額の台紙に立体的であるプリザーブドフラワーやドライフラワー等を用いて貼付し、華かに飾る為の写真用額縁である。
【背景技術】
【０００２】  従来は、平面的である押し花で飾る写真用額縁があった。（実用新案文献１）
【実用新案文献１】
登録実用新案２０００−４５６号公報
【発明が解決しようとする課題】
【０００３】      これには次のような欠点があった。
（イ）平面的な花であり、現実感に乏しいものであった。
（ロ）乾燥剤についても台紙の裏に貼るという点から必然的に厚みの無いものである必要      があり、そのため少量の乾燥剤しか貼る事が出来なかった。またその為，たびたび      新しい乾燥剤に入れ替えしなくてはならず、その際には、四方に貼ったアルミテー      プを専門家に依頼して剥がさなければならないというかなり難点があった。
本発明にはこれらの欠点を除くためになされたのである。
【課題を解決するための手段】
【０００４】  写真等の額縁内に立体的なプリザーブドフラワーやドライフラワーを華やかに装飾したものである。
【発明を実施するための最良の形態】
【０００５】以下、本発明の実施形態について説明する。
（イ）本発明の写真用額縁は箱型の額縁本体（９）と表面を覆う内側から嵌め込み式のガ      ラス（８）と、裏板（１０）とから構成されている。また、額縁本体（９）の内部      には裏板（１０）と写真を挟むための透明の塩化ビニール板（５）とその上部周縁      部に枠状の台紙（１）を設けてある。
（ロ）写真の台紙（１）の上に生花を特殊加工させたプリザーブドフラワーや生花を特殊      乾燥させたドライフラワー（２）を貼着させ、華やかに装飾する。またリボンなど      装飾物（３）も付ける。
（ハ）台紙（１）の裏側から５ミリ位、色紙やレース等（４）を出し、裏から貼着させる      。尚、レース（４）の代わりに色紙でもよい。
（ニ）次に透明な塩化ビニール板（５）を密着させて貼着することにより花を外からの湿      気から防湿させる。
（ホ）写真等（６）は透明な塩化ビニール板を通して見ることができる。
（ヘ）仕上がった台紙を額縁内に収納する。
（ト）額（３）の下隅に花を長期保存させる目的で多量の乾燥剤、防虫剤（７）をレース      等で包み貼着させる。
（チ）表面にガラス（８）を圧着させて装着する。
【発明の効果】
立体的である花を用いることにより現実性が溢れる。
また、厚みのある額を用いる為、その厚みを利用して従来よりも多くの乾燥剤を使用できるので花がより防湿可能となったのである。
写真の入れ替えのみならず、ガラスを開けて乾燥剤までも自分で自由に交換できることも利点である。
【図面の簡単な説明】
【図１】    本発明の斜視図である。
【図２】    本発明の一部を切り欠いた側面図である。
【符号の説明】
１台紙
２花
３リボン
４レース等
５塩化ビニール板
６写真
７乾燥剤、防虫剤
８ガラス
９額縁本体
１０裏板
【図１】
2005280323.tif 000003
【図２】
2005280323.tif 000004
(57)【要約】【課題】本発明は、荷物を運ぶ際の手の負担を軽減するための荷物運搬用補助器具を提供する。【解決手段】カバンテープやブックバンド若しくはストラップ等として使用されている、アクリル製の平たく細長い布の両端の同じ面同志を重ねて輪にするか、または、０度から９０度の角度で互いに交差させる形で向かい合わせ、その両端を特殊なバックルに装着し、輪にしたものをハンドベルトとし、使用する人の手のサイズに合わせるために設けた調節具で長さを調節して、手のひら側に特殊バックルが来るように手にはめ、そのバックルの中央の面に脱着可能なＵ字型もしくはＬ字型の金属フックを設け、その金属フックに買い物袋・手提げ袋及びバック・カバン等を下げたり、荷物を抱える際に支えたりして使用することを特徴とする荷物運搬用補助器具。【選択図】      図１
2005280990.tif 000002
【特許請求の範囲】
【請求項１】
全長５０ｃｍ程の長さで、カバンテープやブックバンド若しくは、ストラップ等として使用されているアクリル製の、幅５ｍｍから３ｃｍ程の平たく細長い布を、長さの調節が出来るように縫製し、３０ｃｍ程の長さにしたものを、その布の両端の同じ面同志を重ねて輪にするか、または、０度から９０度の角度で互いに交差させる形で向かい合わせ、その両端を特殊な形態のバックルに通して装着し、輪にしたものを、手に通して使用する荷物運搬用ハンドベルトとすることとした。
【請求項２】
以上のような方法で出来た、荷物運搬用ハンドベルトの輪の形状は、手の甲及び手のひらの形状にピタリと合い、心地よい装着感が得られることを特徴とし、また、布の部分には調節具を設け、長さを調節出来るようにし、使用する人の手のサイズに合うようにした。
【請求項３】
手を通した荷物運搬用ハンドベルトの特殊バックルの部分を、手のひら側にして、その特殊バックル上にフック留めを設け、そのフック留めにＵ字型の金属フックを装着、そのフックに買い物袋や手提げ袋、若しくはバッグ・カバンなど取っ手の付いた荷物を掛けて吊るし、腕及び手の指に掛かる疲労を軽減したり、または、フック留めにＬ字型の金属フックを装着した場合には、箱型の荷物を両手で持つ際に指に掛かる労力を軽減し、支え助けることが出来るようにしたことを特徴とする。
【請求項４】
この荷物運搬用ハンドベルトは、通常、手のひら側に金属フックの付いた特殊バックルを用い、その金属フックに荷物を下げて使用するが、時には、金属フックの付いたバックルを手の甲側にまわし、手の甲の金属フックに荷物を掛けて下げる一方、空いている手のひらでは別の荷物を持つことも出来ることを特徴とする。
【発明の詳細な説明】
【技術分野】
【０００１】  本発明は、手で下げて運ぶ荷物や、両手で抱え持って運ぶ荷物を、疲れづに運ぶための荷物運搬補助器具である。【０００２】  従来、手の握りの部分とその前後にフックが付いているプラスチックの器具で、そのフックに荷物の紐を引っかけ、持ち上げて運ぶものや、または、ひらがなのつの字型の器具に荷物をぶら下げて、それを手で持って運ぶ器具があった。
【発明の開示】
【発明が解決しようとする課題】
【０００３】  そのために、次のような課題があった。
（イ）直接手で、手提げの部分を持たないことから、荷物の重さで指が痛くなることは無くなったものの、いずれも荷物を掛けた器具を手で握って持ち上げて運ぶことから、結局、荷物の重さによる手及び指の疲れを排除することは出来なかった。
（ロ）器具を手で握って荷物を下げて運ぶという方法でしか利用出来なかった。
本発明は、これらの問題を解決するためになされたものである。
【課題を解決するための手段】
【０００４】  カバンテープやブックバンド若しくは、ストラップ等として使用されている、アクリル製の、平たく細長い布の両端の同じ面同志を重ねるか、または、０度から９０度の角度で互いに交差させる形で向かい合わせ、その両端を特殊なバックルに装着し、輪にしたものをハンドベルトとし、使用する人の手のサイズに合わせるために設けた調節具で長さを調節して、手のひら側に特殊バックルが来るよう手にはめ、そのバックルの中央の面に脱着可能なＵ字型もしくはＬ字型の金属フックを設け、そのＵ字型金属フックに買い物袋・手提げ袋及びバック・カバンを下げたり、Ｌ字型金属フックで荷物を抱える際に支えたりして使用する。
以上を特徴とする荷物運搬補ハンドベルトである。
【発明の効果】
【０００５】  荷物を持つにあたり、腕の力及び、手の指の握力を必要としないため、重い荷物を長時間運んでも、腕及び、手の指が疲れづに済み、極めて便利である。
【発明を実施するための最良の形態】
【０００６】以下、本発明の実施の形態について説明する。
（イ）図２の縫製したアクリル製の布の両端を、同じ面同志で図３の（１）の様に、特殊な形のバックル（５）に装着し、図１の様な形にし、（６）の手を通すための輪を作り、これをハンドベルトとする。
（ロ）アクリル製の布は、全長５０ｃｍ程の長さで、図２の（７）の様に片側の端を特殊バックルの穴、図４の（１０）に通した後４ｃｍ程折って縫い合わせ、もう片側の布は、（２）の調整具に通した後、特殊バックルの穴、図４の（９）に通し、図２の（８）の様に縫い合わせることにより、図１の様な輪が出来る。
（ハ）図４の（５）の、特殊バックルの表面に荷物を吊るしたり持ったりするためのフック、図５の（３）を、図４の（４）のフック留めに装着する。
（二）（５）の特殊バックルは、図４のように（９）及び（１０）の箇所に布を通す穴を設け、（４）のフック留めを設けた特殊な形態をとる。
本発明は、以上のような構成で、これを使用するときは、
ハンドベルトの、図１の（６）の穴に手を通し、ベルトの内側が図６及び図７のように手のひら及び手の甲の手首寄りの部分に接するようにし、（５）のバックルが手のひらの中央に位置するように、調整具で調節して装着する。（３）のＵ字型金属フックに手提げ荷物を掛けて使用する。また、（３）のＵ字型金属フックからＬ字型金属フックに換えて、このプロテクターを両手に装着して使用すると、箱型の荷物も楽に運搬出来て便利である。
【図面の簡単な説明】
【０００７】
【図１】本発明の斜視図
【図２】アクリル製の平らな細長い布の縫製図
【図３】アクリル製の布の両端と特殊バックルの装着図
【図４】特殊バックルの図
【図５】フックの図
【図６】本発明の実施例を示す手のひら側の図
【図７】本発明の実施例を示す手の甲側の図
【符号の説明】
【０００８】        １  アクリル製の平らな細長い布
２  調整具
３  フック
４  フック留め
５  特殊バックル
６  手を通す穴
７  縫い目
８  縫い目
９  布を通すバックルの穴
１０布を通すバックルの穴
【図１】
2005280990.tif 000003
【図２】
2005280990.tif 000004
【図３】
2005280990.tif 000005
【図４】
2005280990.tif 000006
【図５】
2005280990.tif 000007
【図６】
2005280990.tif 000008
【図７】
2005280990.tif 000009
(57)【要約】      （修正有）【課題】印刷機からの刷本の飛び出しを止めるため、板及び紙にストッパーを取り付け、後の板を挿入するのに余裕が出来て差し込む事が出来る飛び出し紙ストッパーの提供。【解決手段】曲がり加工及び成形の出来るプラスチック・塩ビ・鉄・その他金属とし、先端は差し込む板に触れて曲がりやすくストッパー１が破損及び破壊しにくい様に薄くする。刷本２に差し込みやすくキャンバーを付ける。【選択図】図１
2005280987.tif 000002
【特許請求の範囲】
【請求項１】
印刷時刷本の飛び出しを止める為、板と刷本に差し込める様に１部品で両方に使用できる様にした。材質は曲げ加工及び成形のし易い樹脂・プラスチック・塩ビ・ゴム・木その他金属類とする。
【請求項２】
板と紙の双方に差し込める様に図１とする、挿し込んだ時ストッパーの上部が差し込む板にふれて破損及び破壊しない様に薄くするか破損・破壊しにくい材料を使用する。
【発明の詳細な説明】
【発明の詳細な説明】
本発明は、印刷時のデリバリ側である程度印刷紙が積み上がると次の板を差し込む作業がありその時に紙及び板に差し込んで印刷紙が飛び出てくるのをふせぎます。従来は、差し込んだ板と同時に飛び出てくる印刷紙を止めなければいけないこの行動はある程度の経験が必要でまだ経験の浅い者は板を差し込むだけで飛び出してくる紙を止める余裕が無いためストッパーが板及び紙に取り付けるだけで次の板を挿し込む作業に余裕を持てる。
【図面の簡単な説明】［図１］（１）（２）
ストッパー（仮名所）断面図
［図２］（１）
刷本取り付け見取図
［図２］（２）
ストッパー（仮名所）断面図
［図３］（１）
断面図
［図３］（２）
平面図
【符号の説明】
１  ストッパー（仮名所）        ２  刷本紙
３  差し板
【図１】
2005280987.tif 000003
【図２】
2005280987.tif 000004
【図３】
2005280987.tif 000005
(57)【要約】      （修正有）【課題】ホッパ上部より投入された、高さの不均一な内容物を、掻き均す人為的作業の軽減と、設備受入容量の有効化を可能とすることができるスクリュー式拡散装置の提供。【解決手段】ホッパ上部で両側に設置した伝動チェーン７とスプロケットにより浮き上がりを防止したサドル２の上に回転スクリュー３を載せ、サドル２をレール１に対し平行な面内で上下に移動することにより、内容物を充填されていない空間へと掻き均し、ホッパ有効面積を増加させて拡散する。【選択図】  図１
2005280989.tif 000002
【特許請求の範囲】
【請求項１】
ホッパ上部より投入された、高さの不均一な内容物を、掻き均す装置において、ホッパ内のレール上のサドルに設けられた、らせん型の刃を有する筒状スクリューにて内容物を水平になるように、掻き均すことを特徴とする拡散装置。
【請求項２】
スクリュー本体が、あらかじめ設定した位置に達した時に、遠隔リミットにて制御を行い逆方向に移動又は停止するための装置を設けた請求項１。
【請求項３】
設備および内容物に応じて、掻き落し方向に角度を上げ設置することができ、その有効角度は０〜１５°であることを特徴とするスクリュー請求項１。
【発明の詳細な説明】
【技術分野】
【０００１】本発明は、ホッパ内に投入された安息角の大きな内容物の山を、スクリューが回転しながら移動することにより、内容物を充填されていない空間へ移動拡散する装置で特に、簡易型のスクリュー式拡散装置に関する。
【背景技術】
【０００２】例えば出願番号、特願平７−５６４０９の様に、処理池の底部の沈殿物を一定方向に掻き寄せることを特徴とするものもあるが、請求項１はホッパ内容物を掻き均し、ホッパ有効貯蔵量を上げることを主に目的とするものである。
【発明の開示】
【発明が解決しようとする課題】
【０００３】解決しようとしている問題は、例えば、ダンプにてホッパに内容物を投入した場合、内容物が切り立ち、その山を掻き均さない限り、ホッパ上部の空間を利用できず、投入物の処理が終わるまで次の投入を待つこととなり、ホッパ上部に多大な空間が必要となり、有効貯蔵量を下げる結果となっており、問題を解決すために、手作業にて掻き均しを行っていた。
【課題を解決するための手段】
【０００４】前記課題を解決するため、ホッパ上部で両側に設置した伝導チェーンとスプロケットにより、浮き上がりを防止したサドルの上に、回転スクリューを載せ、そのサドルをレールに対して平行に移動させて、内容物を充填されていない空間へ掻き均し、ホッパ有効容積を増加さると同時に、人による手作業を省くことを主要な目的とする。
【発明の効果】
【０００５】本発明は、ホッパ有効貯蔵量を向上させ設備を小型化させる利点がある。
【発明を実施するための最良の形態】
【０００６】ホッパ内でスクリューを移動することにより、ホッパ全面を均すこととなりホッパ貯蔵量の向上を実現した。
【実施例１】
【０００７】以下、図示した実施例を参照してこの発明を詳細に説明する。図１およびその断面図である図２・図３は、この発明の一実施例を示し、ホッパ内に設置した１レール上を、２サドルに設置した３スクリューが４回転用モーターの動力により回転しながら、レール上を５走行用モーターにより、６駆動軸の両端にある７伝導チェーンに動力を伝え平行に往復移動し、図３、１４内容物を１５充填されていない空間へと掻き均しを行い移動させることを特徴とする。
【実施例２】
【０００８】図４に示す実施例は、７伝導チェーン１２制動距離および１０リミットスイッチ作動用伝導チェーンの１３制動距離を対比させることにより、６に設置した８カウンターホイル間に１０リミットスイッチ作動用伝導チェーンに６の動力を伝え、９リミットスイッチを１１リミットスイッチ作動用金具にて作動させ、往復移動を可能とする。
【実施例３】
【０００９】図５および図６に示す実施例は、前記【０００６】のスクリュー式拡散装置本体の図５、１６スクリュー角度０〜１５°変更することにより、より多くの内容物を図６、１８充填されていない空間に、１７内容物を移動させることが可能である。
【実施例４】
【００１０】請求項２に記載の発明は、請求項１において、制御は遠隔操作にて行い、往復運動を可能とする。
【実施例５】
【００１１】請求項３に記載の発明は、請求項１において、角度を０〜１５°に変更可能とされている。
【図面の簡単な説明】
【００１２】
【図１】この発明の１実施形態である移動式スクリュー拡散装置を示す平面図である。
【図２】図１の断面図である。
【図３】ホッパ内容物を掻き均しの実施形態を示す断面図。
【図４】移動式スクリュー拡散装置の停止・逆転等の制御を示す側断面図。
【図５】移動式スクリュー拡散装置の有効角度を示す断面図。
【図６】移動式スクリュー拡散装置の有効角度の実施形態を示す断面図。
【符号の説明】
【００１３】１    レール
２    サドル
３    スクリュー
４    スクリュー回転用モーター
５    走行用モーター
６    駆動軸
７    伝導チェーン
８    カウンターホイル、
９    リミットスイッチ
１０  リミットスイッチ作動用伝導チェーン
１１  リミットスイッチ作動用金具
１２  ７伝道チェーンの制動距離
１３  １０リミットスイッチ作動用伝導チェーンの制動距離
１４  内容物
１５  充填されていない空間
１６  スクリュー角度
【図１】
2005280989.tif 000003
【図２】
2005280989.tif 000004
【図３】
2005280989.tif 000005
【図４】
2005280989.tif 000006
【図５】
2005280989.tif 000007
【図６】
2005280989.tif 000008
(57)【要約】 【課題】液体洗剤の入れ替え・詰め替えをこぼさずに容易にするため、又別種の液体洗剤に完全に入れ替えるために充填容器本体の胴体部分を分割・分離出来、且つ元通りに復元・合体可能なポンプ式液体洗剤詰め替え容器。【解決手段】ポンプ式液体洗剤詰め替え容器において充填容器部分の胴体部分を螺子もしくは嵌合にて容易に上下方向に分割・分離出来る構造とする。その結果開口部は広く取れ、液体洗剤をこぼすことはなくなり、残存の液体洗剤の除去も可能になる。液体洗剤の入れ替え・詰め替えの後は、復元・合体が出来、ポンプ式液体洗剤詰め替え容器として反復・継続使用が可能となる。【選択図】        図１
2005280726.tif 000002
【特許請求の範囲】
【請求項１】
充填容器本体を胴体部分で螺子もしくは嵌合により上下方向で分割・分離出来、且つ反復・継続使用するために元通りに復元・合体可能なポンプ式液体洗剤詰め替え容器。
【発明の詳細な説明】
【技術分野】
【０００１】
ポンプ式液体洗剤詰め替え容器を使用中において液体洗剤を使い切った後、別種洗剤の入れ替えや同種洗剤の詰め替えをする場合、開口部が狭くこぼしてしまうことが多かった。本発明は入れ替え及び詰め替えの際の開口部を広く取れ、且つ別種洗剤の入れ替えも容易とするポンプ式液体洗剤詰め替え容器に関するものである。
【背景技術】
【０００２】
従来技術の一般的なポンプ式液体洗剤詰め替え容器では別種の液体洗剤への入れ替えや同種の液体洗剤への詰め替えの際、充填注入用の開口部がポンプ取り付け用螺子部と兼用のためかなり狭く、こぼしてしまうことが多かった。又別種の液体洗剤に入れ替える場合は、混入を嫌って残存した液体洗剤全てを除去する必要があるが、狭い開口部からの除去や洗浄の手間も容易でなかった。又除去出来ない場合の残存洗剤の無駄も発生した。
【０００３】
これらの改善技術としてポンプ取り付け固定部分の構造を変え、専用詰め替え容器を別途作成し、該ポンプ取り付け固定部分で該詰め替え専用容器ごと交換する方式のポンプ式液体洗剤詰め替え容器があった。
【特許文献１】特開平１１−２２２２６６
【発明の開示】
【発明が解決しようとする課題】
【０００４】
改善技術である専用詰め替え用容器ごと交換する方式は、ポンプを固定する装入口の内側、もしくは、該容器の内部に該専用詰め替え容器を固定する螺子などの取り付け機構を具備する必要があり、その分構造も複雑なため、該ポンプ式液体洗剤詰め替え容器自体の制作費がコスト高となっていた。又専用詰め替え容器も別途作成する必要があり、市販の薄いプラスティック袋に入っただけの安価な詰め替え用洗剤が使用出来ず、同じくコスト高となっていた。更に交換後の該専用詰め替え容器に残存している液体洗剤の使用も不可能であり、その分も余計な出費となっていた。本発明はこれらの問題を解決するものである。
【課題を解決するための手段】
【０００５】
ポンプ式液体洗剤詰め替え容器の充填容器胴体部分を螺子、もしくは嵌合構造により上下方向に簡単に分割・分離出来るようにし、同種液体洗剤の詰め替えや異種液体洗剤の入れ替え後は反復・継続使用するために再度同様に復元・合体を可能とする。
【発明の効果】
【０００６】
本発明により、ポンプ式液体洗剤詰め替え容器は充填容器胴体部の太い部位で容易に分割・分離出来るようになるため、分割・分離した開口部は広く取れ、充填注入したい新しい液体洗剤をこぼさずに詰め替えや入れ替えが可能となる。特に別種の液体洗剤への入れ替え時において容器に残存した液体洗剤は広い開口部から簡単に除去、洗浄が出来、その結果全く別種の液体洗剤に入れ替えることが容易となる。又分割・分離のための構造も螺子もしくは嵌合のため、取り扱いも簡単で製作コストも安価で済む。市販の安価な入れ替え・詰め替え用液体洗剤もそのまま使用可能となる。従ってポンプ式液体洗剤詰替え容器として低コストで反復・継続利用が可能となり、取り扱いも簡単で快適な使用感も得られることとなる。
【発明を実施するための最良の形態】
【０００７】
ポンプ式液体洗剤詰め替え容器において充填容器胴体部分の下部の一部を螺子回転にて上下方向に分割・分離し、液体洗剤の詰め替え・入れ替えをする。それに伴う残存液体洗剤を除去し、洗浄した後は再度同様に復元・合体し、反復使用を可能とする。分割・分離及び復元・合体をするための構造としては嵌合でも良い。
【実施例１】
【０００８】
外観側面図１で示す。ポンプ式液体洗剤詰め替え容器１の充填容器下部３を分割・分離・開口部４の螺子部５で回転６させ充填部分２と分割・分離させる。充填容器下部３の残存洗剤７を除去し、洗浄等の後、該容器３を螺子部５により回転６させ充填容器上部２と合体・復元させる。
【０００９】
外観側面図２では同様に分割・分離後、充填容器下部３を逆さにし、該充填容器３の分割・分離・開口部４より入れ替え・詰め替え用液体洗剤８を充填注入することを示す。
【図面の簡単な説明】
【００１０】
【図１】本発明の実施形態を示す外観側面図
【図２】本発明の入れ替え・詰め替えの実施形態を示す外観側面図
【符号の説明】
【００１１】
１ポンプ式液体洗剤詰め替え容器
２充填容器上部
３充填容器下部
４分割・分離・開口部
５螺子部
６回転
７残存液体洗剤
８入れ替え・詰め替え用液体洗剤
【図１】
2005280726.tif 000003
【図２】
2005280726.tif 000004
(57)【要約】【課題】  従来の飲料用ディスペンサーは飲料が酸化し風味や鮮度が劣化してしまうという問題があった。これは飲料に空気圧を直接かけて飲料を押し出していたため、飲料が空気中の酸素に触れ酸化するためである。【解決手段】  ２重袋を利用し、外袋に接続したエアーポンプを通じて、外袋と内袋の間の密封された空間に空気を送り込めるようにし、内袋には飲料の注入出口を設けて構成した。これにより、飲料を押し出す圧力として内袋にかかる空気圧を利用する事ができ、また飲料に空気圧をかけるとき内袋内の飲料が空気と触れる事がないので、飲料の酸化を防止する事ができる。【選択図】図１
2005280831.tif 000002
【特許請求の範囲】
【請求項１】
２重袋の内袋と外袋の間の密閉された空間にエアーポンプで空気を送り込むことにより、空気圧を利用して内袋に外圧をかけ、内袋には開閉可能な飲料の注入出口を設け、加圧された内袋内の飲料を注出するときに外気が流入しないようにして内袋内を真空に保持できるようにした飲料用ディスペンサー。
【発明の詳細な説明】
【技術分野】
【０００１】  本発明は、飲料の酸化防止を図った飲料用ディスペンサーに関する。
【技術背景】
【０００２】  従来の飲料用ディスペンサーは飲料のボトルを逆立させるなどして注出口を下向きにし、さらにボトル内に、ボトル外部の真空ポンプに接続されたパイプを挿入して、同パイプを通して液面より上に空気を送り込み、空気圧およびボトル内の飲料にかかる重力を利用して、ボトル内の飲料を注出したのち、ボトル内の空気を同パイプを通じて真空ポンプで排出する事によりボトル内の飲料の酸化防止をはかったものがある（例えば、特許文献１参照。）。
【０００３】  以下、図８により従来の飲料用ディスペンサーについて説明する。図において、ボトル内の飲料を注出するときに、注出口に設けたコック１３のレバー１５を引くと電動弁が開放されパイプ８を通り大気圧がかかり飲料がグラスに注がれる。レバーを戻すと電動弁が閉まり真空ポンプが働きボトルの中の空気を抜く。
【特許文献１】    特開平２００１−５８７００号  特許電子図書館
【発明の開示】
【発明が解決しようとする課題】
【０００４】  以上に述べた従来の飲料用ディスペンサーでは、ボトル上部に導入した空気の圧力を利用してボトル内の飲料を注出するため、空気を送り込むたびに容器内の飲料の一部が空気に触れるので、飲料注出後にボトル内の空気を真空ポンプで排出するとしても、飲料を酸化させてしまうというものであった。【０００５】  本発明は、このような従来の構成が有していた問題を解決しようとするものであり、容器内の飲料が空気に触れる事により酸化するのを防止した飲料用ディスペンサーを実現する事を目的とするものである。
【課題を解決するための手段】
【０００６】  そして、本発明は上記目的を達成するために容器を２重袋とし、外袋に外部からエアーポンプを接続し、エアーポンプからの送気管を通じて外袋内に空気を送り込むことにより、外袋と内袋の間の密封された空間に空気を充填し、その空気圧を利用して内袋に外圧がかかるようにして、内袋内に空気を導入する事なしに内袋内の飲料を注出できるようにしたものである。【０００７】  また、内袋には開閉可能な飲料の注入出口を設け、注入出口を開けると、加圧された内袋内の飲料が注出され、このとき内袋が加圧されているため内袋への外気の流入はなく内袋内に残っている空気が少しでもあれば排出され、注出が終わるとただちに注入出口を閉じて、内袋内を真空に保持するようにして内袋内の飲料の酸化防止を図ったものである。
【発明の効果】
【０００８】  上述したように本発明の飲料用ディスペンサーは、内袋内を真空に保つことができ、内袋内の飲料が空気に触れる事により酸化するのを防止することができるため、飲料の風味および鮮度の劣化を防止して長期保存が可能な飲料用ディスペンサーを提供できる。【０００９】  また、２重袋にエアーポンプを取り付けたものという単純な機構で部品点数も少なく、２重袋の素材も可塑性のある素材であれば、例えばポリエチレンなどで可能であり、製造が簡単で、製造原価も安価に抑える事ができ、しかも目的に合わせて少容量のものから大容量のものまで製造することができるという効果を発揮するものである。
【発明を実施するための最良の形態】
【００１０】  以下、本発明の実施の形態を図１〜図７に基づいて説明する。【００１１】  図においては、１は外袋で、２は内袋、３は内袋に設けた飲料の注入出口、４は外袋に設けたエアーポンプの接続口であり、２重袋を成している。【００１２】  ５は３に接続する蛇口で、キャップ６により３にネジ止めされ、開閉用弁７を操作して５から飲料を注出する。【００１３】  ８は、接続口４にエアーポンプ９をネジ止めして接続するキャップである。【００１４】  以下、上記構成の動作を説明する。まずエアーポンプ９をキャップ８により外袋１に接続し、内袋２に飲料を注入した後、キャップ６により内袋２に蛇口５を接続する。次に飲料の注入出口３を上に向けて本構成全体を直立させることにより、内袋２内の空気を上方に移動させ、次いでエアーポンプ９で外袋１内に空気を送り込み内袋２を外部から加圧した後、蛇口５の開閉弁７を開くことにより、内袋２内の空気が排出され、そののち開閉弁７を閉じる事により内袋２内の飲料を真空状態に保つ事ができるという効果を発揮する。【００１５】  また、本構成全体を直立状態から水平状態に戻し、エアーポンプ９を通じて外袋１内に空気を送り込む事により、外袋１と内袋２の間の密閉された空間の空気圧を高め、内袋２内に空気を導入せずに内袋２を外部から加圧したのち、開閉弁７を開いて内袋２内の飲料を注出する事ができる。開閉弁７を開き飲料を注出している間、内袋２は外部から加圧されているので、飲料の注入出口３から内袋２内に外気が流入するのを防ぐことができ、飲料を注出したのち開閉弁７を閉じれば、内袋２内を真空状態に保つ事ができるという効果を発揮する。以上のように、本実施形態によれば真空状態を利用して飲料の酸化を防止し長期保存することができるという効果が得られるものである。
【図面の簡単な説明】
【００１６】
【図１】本発明の実施形態を示す飲料用ディスペンサーの外観図
【図２】同飲料用ディスペンサーを側面から見た外観図
【図３】同飲料用ディスペンサーを前面から見た外観図
【図４】同飲料用ディスペンサーを上面から見た外観図
【図５】同飲料用ディスペンサーの図３におけるＡ−Ａ線断面図
【図６】同飲料用ディスペンサーの図２におけるＢ−Ｂ線断面図
【図７】同飲料用ディスペンサーの図３におけるＣ−Ｃ−線断面図
【図８】従来の飲料用ディスペンサーの外観図
【図１】
2005280831.tif 000003
【図２】
2005280831.tif 000004
【図３】
2005280831.tif 000005
【図４】
2005280831.tif 000006
【図５】
2005280831.tif 000007
【図６】
2005280831.tif 000008
【図７】
2005280831.tif 000009
【図８】
2005280831.tif 000010